(57)【要約】【課題】限られた大きさで、より計算誤差を低減することができる、温度と飽和水蒸気圧との関係を示すデータテーブルを作成する。【解決手段】更新前のデータテーブルの区間毎の最大平均誤差とその最大平均誤差の平均値との差に応じ、最大平均誤差が最大平均誤差の平均値よりも大きい区間については、その区間に対応する更新前のデータテーブルの温度間隔を狭くし、最大平均誤差が最大平均誤差の平均値よりも小さい区間については、その区間に対応する更新前のデータテーブルの温度間隔を広くする。【選択図】  図１
2019027856.tif 000002
【特許請求の範囲】
【請求項１】
温度から飽和水蒸気圧を求め、この求めた飽和水蒸気圧と相対湿度とから水蒸気分圧値を求め、この求めた水蒸気分圧値から露点温度を求める際に用いる、前記温度と前記飽和水蒸気圧との関係を示すデータテーブルを作成するデータテーブル作成方法において、
前記温度と前記飽和水蒸気圧との関係を等温度間隔で示した初期のデータテーブルを更新前のデータテーブルとし、この更新前のデータテーブルの温度間隔を１区間とする各区間を直線で補間して、計測範囲の各温湿度の露点温度の演算値を求める露点温度演算ステップと、
前記露点温度演算ステップによって求められた各温湿度の露点温度の演算値と予め定められた計算式から求められる各温湿度の露点温度の目標値との差を、前記演算値が前記目標値よりも高い場合にはプラス方向の計算誤差として、前記演算値が前記目標値よりも低い場合にはマイナス方向の計算誤差として求める計算誤差算出ステップと、
前記計算誤差算出ステップによって求められた各温湿度の露点温度の計算誤差を温度毎に平均し、各温度に対する平均誤差として求め、前記更新前のデータテーブルの区間毎にその区間内の最大平均誤差を求める最大平均誤差算出ステップと、
前記最大平均誤差算出ステップによって求められた前記区間毎の最大平均誤差とその最大平均誤差の平均値との差に応じ、前記最大平均誤差が前記最大平均誤差の平均値よりも大きい区間については、その区間に対応する前記更新前のデータテーブルの温度間隔を狭くし、前記最大平均誤差が前記最大平均誤差の平均値よりも小さい区間については、その区間に対応する前記更新前のデータテーブルの温度間隔を広くする温度間隔調整ステップと
を備えることを特徴とするデータテーブル作成方法。
【請求項２】
請求項１に記載されたデータテーブル作成方法において、
さらに、
前記温度間隔調整ステップによって温度間隔が調整された前記データテーブルを更新されたデータテーブルとし、この更新されたデータテーブルを前記更新前のデータテーブルに置き換えて、前記露点温度演算ステップ、前記計算誤差算出ステップ、前記最大平均誤差算出ステップおよび前記温度間隔調整ステップの処理を繰り返させる繰返ステップ
を備えることを特徴とするデータテーブル作成方法。
【請求項３】
請求項２に記載されたデータテーブル作成方法において、
前記繰返ステップは、
前記露点温度演算ステップ、前記計算誤差算出ステップ、前記最大平均誤差算出ステップおよび前記温度間隔調整ステップの処理を、その処理回数が所定回数に達するまで繰り返させる
ことを特徴とするデータテーブル作成方法。
【請求項４】
請求項２に記載されたデータテーブル作成方法において、
前記繰返ステップは、
前記露点温度演算ステップ、前記計算誤差算出ステップ、前記最大平均誤差算出ステップおよび前記温度間隔調整ステップの処理を、前記計算誤差の絶対値の最大値が所定値以下となるまで繰り返させる
ことを特徴とするデータテーブル作成方法。
【請求項５】
請求項１〜４の何れか１項に記載されたデータテーブル作成方法において、
前記最大平均誤差算出ステップは、
前記各温度に対する平均誤差のマイナス方向の最大値を前記最大平均誤差として求める  ことを特徴とするデータテーブル作成方法。
【請求項６】
温度から飽和水蒸気圧を求め、この求めた飽和水蒸気圧と相対湿度とから水蒸気分圧値を求め、この求めた水蒸気分圧値から露点温度を求める際に用いる、前記温度と前記飽和水蒸気圧との関係を示すデータテーブルを作成するように構成されたデータテーブル作成装置において、
前記温度と前記飽和水蒸気圧との関係を等温度間隔で示した初期のデータテーブルを更新前のデータテーブルとし、この更新前のデータテーブルの温度間隔を１区間とする各区間を直線で補間して、計測範囲の各温湿度の露点温度の演算値を求めるように構成された露点温度演算部と、
前記露点温度演算部によって求められた各温湿度の露点温度の演算値と予め定められた計算式から求められる各温湿度の露点温度の目標値との差を、前記演算値が前記目標値よりも高い場合にはプラス方向の計算誤差として、前記演算値が前記目標値よりも低い場合にはマイナス方向の計算誤差として求めるように構成された計算誤差算出部と、
前記計算誤差算出部によって求められた各温湿度の露点温度の計算誤差を温度毎に平均し、各温度に対する平均誤差として求め、前記更新前のデータテーブルの区間毎にその区間内の最大平均誤差を求めるように構成された最大平均誤差算出部と、
前記最大平均誤差算出部によって求められた前記区間毎の最大平均誤差とその最大平均誤差の平均値との差に応じ、前記最大平均誤差が前記最大平均誤差の平均値よりも大きい区間については、その区間に対応する前記更新前のデータテーブルの温度間隔を狭くし、前記最大平均誤差が前記最大平均誤差の平均値よりも小さい区間については、その区間に対応する前記更新前のデータテーブルの温度間隔を広くするように構成された温度間隔調整部と
を備えることを特徴とするデータテーブル作成装置。
【請求項７】
請求項１〜５の何れか１項に記載されたデータテーブル作成方法によって作成されたデータテーブルが搭載された露点温度計。
【発明の詳細な説明】
【技術分野】
【０００１】
本発明は、露点温度を求める際に用いられるデータテーブルを作成するデータテーブル作成方法、データテーブル作成装置および露点温度計に関する。
【背景技術】
【０００２】
従来より、温度と湿度とから露点温度を求める際に、データテーブルが用いられている。このデータテーブルとして、例えば、温度と湿度と露点温度との関係を示したデータテーブルＴＢ１（図７参照）と、温度と飽和水蒸気圧との関係を示したデータテーブルＴＢ２（図８参照）の２つがある。
【０００３】
データテーブルＴＢ１を用いた方法は（例えば、特許文献１参照）、温度と相対湿度とから露点温度を求めることができるので、計算がほとんど不要であるという特徴がある。
【０００４】
データテーブルＴＢ２を用いた方法は（例えば、特許文献２参照）、テーブルの大きさの変化が１次元的なため、露点温度計内部の演算器などで適用し易い。この方法では、温度から飽和水蒸気圧を求める計算と、水蒸気分圧値から露点温度を求める計算を１つのテーブルで行う。
【０００５】
図９に、横軸を温度、縦軸を飽和水蒸気圧として表された飽和水蒸気圧曲線Ｉを示す。図８に示したデータテーブルＴＢ２には、この飽和水蒸気圧曲線Ｉで示される飽和水蒸気圧の値が等温度間隔で書き込まれている。図中、黒四角で示す箇所が等温度間隔の飽和水蒸気圧の値を示す。
【０００６】
データテーブルＴＢ２から露点温度を求める手順を図１０に示す。先ず、データテーブルＴＢ２を用いて、温度ｘａに対応する飽和水蒸気圧ｙａを求める（ステップＳ１）。次に、この求めた飽和水蒸気圧ｙａに相対湿度ｚａをかけて、水蒸気分圧値ｙｂを求める（ステップＳ２）。そして、この求めた水蒸気分圧値ｙｂから、データテーブルＴＢ２を用いて露点温度ｘｂを求める（ステップＳ３）。
【０００７】
なお、温度ｘａや水蒸気分圧値ｙｂがデータテーブルＴＢ２に存在しない場合は、データテーブルＴＢ２に存在する値を直線で補間する。すなわち、データテーブルＴＢ２の温度間隔を１区間とする各区間を直線で補間して、計測範囲の各温湿度の露点温度を求める。
【先行技術文献】
【特許文献】
【０００８】
【特許文献１】特開２００７−１１４１６６号公報
【特許文献２】特開２００１−００４５７３号公報
【発明の概要】
【発明が解決しようとする課題】
【０００９】
しかしながら、温度と飽和水蒸気圧との関係を示すデータテーブルＴＢ２を用いる方法では、データテーブルＴＢ２の各区間を直線で補間するようにしているために、求められる露点温度に誤差が生じる。
【００１０】
すなわち、図９に示した飽和水蒸気圧曲線Ｉは「Sonntagの式」と呼ばれる計算式で表される。この計算式によって、飽和水蒸気圧は温度が上昇するにつれ徐々に上昇するような曲線（下に凸な曲線）で表されるため、データテーブルＴＢ２の各区間を直線で近似すると、温度から飽和水蒸気圧は高く（図１１（ａ）参照）、水蒸気分圧値から露点温度は低く計算される（図１１（ｂ）参照）。
【００１１】
この場合、それぞれの誤差の大小で、最終的に求められる露点温度（以下、露点温度の演算値と呼ぶ。）には、計算式によって求められる露点温度（以下、露点温度の目標値と呼ぶ。）と比較して、（i）高くなる、（ii）比較的近い値となる、（iii）低くなる、の３つのケースが生じる。この演算値と目標値との差（計算誤差）は、データテーブルＴＢ２の温度間隔と関係しており、等温度間隔のデータテーブルＴＢ２を用いた場合、一部の露点温度について（i）や（iii）のケースで極端に大きい計算誤差が生じる。
【００１２】
本発明は、このような課題を解決するためになされたもので、その目的とするところは、限られた大きさで、より計算誤差を低減することができる、温度と飽和水蒸気圧との関係を示すデータテーブルを作成することにある。
【課題を解決するための手段】
【００１３】
このような目的を達成するために本発明は、温度から飽和水蒸気圧を求め、この求めた飽和水蒸気圧と相対湿度とから水蒸気分圧値を求め、この求めた水蒸気分圧値から露点温度を求める際に用いる、温度と飽和水蒸気圧との関係を示すデータテーブルを作成するデータテーブル作成方法において、温度と飽和水蒸気圧との関係を等温度間隔で示した初期のデータテーブル（ＴＢ２）を更新前のデータテーブルとし、この更新前のデータテーブルの温度間隔を１区間とする各区間を直線で補間して、計測範囲の各温湿度の露点温度の演算値を求める露点温度演算ステップ（Ｓ１０２）と、露点温度演算ステップによって求められた各温湿度の露点温度の演算値と予め定められた計算式から求められる各温湿度の露点温度の目標値との差を、演算値が目標値よりも高い場合にはプラス方向の計算誤差として、演算値が目標値よりも低い場合にはマイナス方向の計算誤差として求める計算誤差算出ステップと（Ｓ１０３）、計算誤差算出ステップによって求められた各温湿度の露点温度の計算誤差を温度毎に平均し、各温度に対する平均誤差として求め、更新前のデータテーブルの区間毎にその区間内の最大平均誤差を求める最大平均誤差算出ステップ（Ｓ１０４）と、最大平均誤差算出ステップによって求められた区間毎の最大平均誤差とその最大平均誤差の平均値との差に応じ、最大平均誤差が最大平均誤差の平均値よりも大きい区間については、その区間に対応する更新前のデータテーブルの温度間隔を狭くし、最大平均誤差が最大平均誤差の平均値よりも小さい区間については、その区間に対応する更新前のデータテーブルの温度間隔を広くする温度間隔調整ステップ（Ｓ１０５）とを備えることを特徴とする。
【００１４】
本発明では、温度と飽和水蒸気圧との関係を等温度間隔で示した初期のデータテーブルを更新前のデータテーブルとし、この更新前のデータテーブルの等温度間隔の各区間を直線で補間して、計測範囲の各温湿度の露点温度の演算値を求める。そして、この求めた各温湿度の露点温度の演算値と予め定められた計算式（Sonntagの式）から求められる各温湿度の露点温度の目標値との差を、演算値が目標値よりも高い場合にはプラス方向の計算誤差として、演算値が目標値よりも低い場合にはマイナス方向の計算誤差として求める。そして、この求めた各温湿度の露点温度の計算誤差を温度毎に平均し、各温度に対する平均誤差として求め、更新前のデータテーブルの区間毎にその区間内の最大平均誤差を求める。そして、この求めた区間毎の最大平均誤差とその最大平均誤差の平均値との差に応じ、最大平均誤差が最大平均誤差の平均値よりも大きい区間については、その区間に対応する更新前のデータテーブルの温度間隔を狭くし、最大平均誤差が最大平均誤差の平均値よりも小さい区間については、その区間に対応する更新前のデータテーブルの温度間隔を広くする。これにより、一部に集中していた計算誤差を、計測範囲全体に拡散し、最大誤差を低減することができるようになる。また、許容できる絶対最大誤差（計算誤差の絶対値の最大値）が与えられたときに、データテーブルのサイズを小さくすることが可能となる。
【００１５】
なお、上記説明では、一例として、発明の構成要素に対応する図面上の構成要素を、括弧を付した参照符号によって示している。
【発明の効果】
【００１６】
以上説明したことにより、本発明によれば、更新前のデータテーブルの区間毎の最大平均誤差とその最大平均誤差の平均値との差に応じ、最大平均誤差が最大平均誤差の平均値よりも大きい区間については、その区間に対応する更新前のデータテーブルの温度間隔を狭くし、最大平均誤差が最大平均誤差の平均値よりも小さい区間については、その区間に対応する更新前のデータテーブルの温度間隔を広くするようにしたので、限られた大きさで、より計算誤差を低減することができる、温度と飽和水蒸気圧との関係を示すデータテーブルを作成することができるようになる。
【図面の簡単な説明】
【００１７】
【図１】図１は、本発明の実施の形態におけるデータテーブルの作成手順を示すフローチャートである。
【図２】図２は、補正前および補正後の温度毎に平均した各温湿度の露点温度の計算誤差（温度毎の平均誤差）を例示する図である。
【図３】図３は、補正前および補正後のデータテーブルに書き込まれる飽和水蒸気圧の値を黒四角および黒三角で示す図である。
【図４】図４は、補正前および補正後のデータテーブルを用いた場合の各温湿度の露点温度の計算誤差の高低の分布を示す図である。
【図５】図５は、２８点の等温度間隔のデータテーブルを用いた場合および２３点の補正後のデータテーブルを用いた場合の各温湿度の露点温度の計算誤差の高低の分布を示す図である。
【図６】図６は、本発明に係るデータテーブル作成方法を適用したデータテーブル作成装置の要部の機能ブロック図である。
【図７】図７は、温度と湿度と露点温度との関係を示したデータテーブルを例示する図である。
【図８】図８は、温度と飽和水蒸気圧との関係を示したデータテーブルを例示する図である。
【図９】図９は、横軸を温度、縦軸を飽和水蒸気圧として表された飽和水蒸気圧曲線を示す図である。
【図１０】図１０は、温度と飽和水蒸気圧との関係を示したデータテーブルから露点温度を求める手順を示すフローチャートである。
【図１１】図１１は、温度と飽和水蒸気圧との関係を示したデータテーブルの各区間を直線で近似した場合に生じる計算誤差を説明する図である。
【発明を実施するための形態】
【００１８】
以下、本発明の実施の形態を図面に基づいて詳細に説明する。図１に、本発明の実施の形態におけるデータテーブルの作成手順を示す。
【００１９】
本実施の形態では、先ず、温度について計測範囲で等間隔となるように初期点を配置し、それぞれの温度に対する飽和水蒸気圧を求めることで、設定した点数で温度方向に等間隔なデータテーブルを作成する（ステップＳ１０１）。すなわち、温度と飽和水蒸気圧との関係を等温度間隔で示した初期のデータテーブルを作成する。
【００２０】
そして、この初期のデータテーブルを更新前のデータテーブルとし、温度・湿度をスイープしながら露点温度演算を行う（ステップＳ１０２）。すなわち、更新前のデータテーブルの温度間隔を１区間とする各区間を直線で補間して、計測範囲の各温湿度の露点温度の演算値を求める。
【００２１】
そして、ステップＳ１０２で求められた各温湿度の露点温度の演算値と予め定められた計算式（Sonntagの式）から求められる各温湿度の露点温度の目標値との差を、演算値が目標値よりも高い場合にはプラス方向の計算誤差として、演算値が目標値よりも低い場合にはマイナス方向の計算誤差として求める（ステップＳ１０３）。
【００２２】
次に、ステップＳ１０３で求めた各温湿度の露点温度の計算誤差を温度毎に平均し、各温度に対する平均誤差として求め、更新前のデータテーブルの区間毎にその区間内の各温度に対する平均誤差のマイナス方向の最大値（絶対値）を最大平均誤差として求める（ステップＳ１０４）。
【００２３】
そして、ステップＳ１０４で求められた区間毎の最大平均誤差とその最大平均誤差の平均値との差に応じ、最大平均誤差が最大平均誤差の平均値よりも大きい区間については、その区間に対応する更新前のデータテーブルの温度間隔を狭くし、最大平均誤差が最大平均誤差の平均値よりも小さい区間については、その区間に対応する更新前のデータテーブルの温度間隔を広くする（ステップＳ１０５）。
【００２４】
すなわち、最大平均誤差が最大平均誤差の平均値よりも大きい区間については、その最大平均誤差と最大平均誤差の平均値との差に応じた分だけその区間に対応する更新前のデータテーブルの温度間隔を狭くし、最大平均誤差が最大平均誤差の平均値よりも小さい区間については、その最大平均誤差と最大平均誤差の平均値との差に応じた分だけその区間に対応する更新前のデータテーブルの温度間隔を広くする。
【００２５】
そして、この温度間隔が調整されたデータテーブルを更新されたデータテーブルとし、この更新されたデータテーブルを更新前のデータテーブルに置き換えて、その処理回数が所定回数に達するまで（ステップＳ１０６のＹＥＳ）、ステップＳ１０２〜Ｓ１０５の処理を繰り返す。
【００２６】
このようにして、本実施の形態では、データテーブルの温度間隔が調整されて行き、温度間隔が調整された最終のデータテーブルが得られる。この温度間隔が調整された最終のデータテーブルを露点温度計に搭載する。
【００２７】
図２にステップＳ１０４で求められた各温度に対する平均誤差を例示する。図２において、Ｅ１は補正前（等温度間隔）の各温度に対する平均誤差を示し、Ｅ２は補正後（温度間隔調整後）の各温度に対する平均誤差を示す。
【００２８】
図３に、補正前のデータテーブル（等温度間隔のデータテーブルＴＢ２）に書き込まれている飽和水蒸気圧の値（黒四角）と、補正後のデータテーブル（温度間隔が調整されたデータテーブルＴＢ２’）に書き込まれる飽和水蒸気圧の値（黒三角）を例示する。
【００２９】
図４（ａ）に、等温度間隔のデータテーブル（初期のデータテーブルＴＢ２）を用いた場合の各温湿度の露点温度の計算誤差の高低の分布を示す。この計算誤差の高低の分布において、白色の分布は演算値が目標値よりも所定値以上高いプラス方向の計算誤差の分布を示し、黒色の分布は演算値が目標値よりも所定値以上低いマイナス方向の計算誤差の分布を示している。
【００３０】
図４（ｂ）に、温度間隔が調整されたデータテーブル（温度間隔が調整された最終のデータテーブルＴＢ２’）を用いた場合の各温湿度の露点温度の計算誤差の高低の分布を示す。この計算誤差の高低の分布においても、白色の分布は演算値が目標値よりも所定値以上高いプラス方向の計算誤差の分布を示し、黒色の分布は演算値が目標値よりも所定値以上低いマイナス方向の計算誤差の分布を示している。
【００３１】
図４（ａ）と図４（ｂ）とを比較して分かるように、温度間隔が調整されたデータテーブルを用いることによって、一部分に集中していた計算誤差を、計測範囲全体に拡散し、最大誤差を低減することができるようになる。
【００３２】
なお、図４は、温度−２０℃〜６０℃の範囲で２８点のデータテーブルとした場合の、計算誤差の高低の分布を示している。この場合、温度−２０℃〜６０℃、湿度１０％ＲＨ〜１００％ＲＨに対して露点温度を求めたときの計算誤差の絶対値の最大値（絶対最大誤差）は、等温度間隔のデータテーブルを使用した場合が０.１０１３℃ｔｄであったのに対し、温度間隔が調整されたデータテーブルを使用した場合は０．０６６２℃ｔｄとなった。
【００３３】
図５（ｂ）に、温度−２０℃〜６０℃の範囲で２３点のデータテーブルとした場合の、図４（ｂ）に対応する図を示す。この場合、絶対最大誤差は、０．０９９６℃ｔｄとなり、等温度間隔で２８点のデータテーブルを作成した場合（図５（ａ））と同程度の絶対最大誤差を達成することができている。
【００３４】
このように、本実施の形態によれば、許容できる絶対最大誤差が与えられたときに、データテーブルのサイズを小さくすることが可能である。
【００３５】
〔データテーブル作成装置〕
図６に、本発明に係るデータテーブル作成方法を適用したデータテーブル作成装置の要部の機能ブロック図を示す。
【００３６】
このデータテーブル作成装置１００は、プロセッサや記憶装置からなるハードウェアと、これらのハードウェアと協働して各種機能を実現させるプログラムとによって実現され、メモリ１と、露点温度演算部２と、計算誤差算出部３と、最大平均誤差算出部４と、温度間隔調整部５と、処理回数カウント部６とを備えている。
【００３７】
このデータテーブル作成装置１００において、メモリ１には、温度と飽和水蒸気圧との関係を等温度間隔で示す初期のデータテーブルＴＢ２が記憶されている領域（初期のデータテーブル記憶領域）１−１と、初期のデータテーブルＴＢ２を最初の更新前のデータテーブルとして記憶するデータテーブル記憶領域１−２と、飽和水蒸気圧曲線の計算式（Sonntagの式）を記憶する計算式記憶領域１−３とを備えている。
【００３８】
このデータテーブル作成装置１００において、露点温度演算部２は、データテーブル記憶領域１−２に記憶されている更新前のデータテーブルの温度間隔を１区間とする各区間を直線で補間して、計測範囲の各温湿度の露点温度の演算値を求める。
【００３９】
計算誤差算出部３は、露点温度演算部２によって求められた各温湿度の露点温度の演算値と計算式記憶領域１−３に記憶されている計算式から求められる各温湿度の露点温度の目標値との差を、演算値が目標値よりも高い場合にはプラス方向の計算誤差として、演算値が目標値よりも低い場合にはマイナス方向の計算誤差として求める。
【００４０】
最大平均誤差算出部４は、計算誤差算出部３によって求められた各温湿度の露点温度の計算誤差を温度毎に平均し、各温度に対する平均誤差として求め、更新前のデータテーブルの区間毎にその区間内の各温度に対する平均誤差のマイナス方向の最大値（絶対値）を最大平均誤差として求める。
【００４１】
温度間隔調整部５は最大平均誤差算出部４によって求められた更新前のデータテーブルの区間毎の最大平均誤差とその最大平均誤差の平均値との差に応じ、最大平均誤差が最大平均誤差の平均値よりも大きい区間については、その区間に対応する更新前のデータテーブルの温度間隔を狭くし、最大平均誤差が最大平均誤差の平均値よりも小さい区間については、その区間に対応する更新前のデータテーブルの温度間隔を広くする。すなわち、メモリ１のデータテーブル記憶領域１−２に記憶されている更新前のデータテーブル（ＴＢ２）の温度間隔を調整し、この温度間隔が調整されたデータテーブルを更新されたデータテーブル（ＴＢ２’）とする。
【００４２】
処理回数カウント部６は、露点温度演算部２から温度間隔調整部５に至るまでの処理を１回としてその処理回数をカウントし、この処理回数が所定回数に達するまで、露点温度演算部２から温度間隔調整部５に至るまでの処理を繰り返させる。この場合、露点温度演算部２、計算誤差算出部３、最大平均誤差算出部４および温度間隔調整部５は、メモリ１のデータテーブル記憶領域１−２に記憶されている更新されたデータテーブル（ＴＢ２’）を更新前のデータテーブルに置き代えて、上述した処理動作を繰り返す。処理回数カウント部６は、この処理動作の繰り返しが所定回数に達した場合、データテーブルの温度間隔の調整が終了したことを知らせる。
【００４３】
このようにして、メモリ１のデータテーブル記憶領域１−２に、温度間隔が調整された最終のデータテーブルがＴＢ２’として残されるものとなる。このデータテーブル記憶領域１−２に残されたデータテーブルＴＢ２’を露点温度計２００に搭載する。
【００４４】
なお、上述した実施の形態では、図１に示したステップＳ１０６において、ステップＳ１０２〜Ｓ１０５の処理の繰り返しが所定回数に達した場合にデータテーブルの温度間隔の調整を終了するようにしたが、計算誤差の絶対値の最大値（絶対最大誤差）が所定値以下となった場合にデータテーブルの温度間隔の調整を終了するなどしてもよい。
【００４５】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００４６】
１…メモリ、２…露点温度演算部、３…計算誤差算出部、４…最大平均誤差算出部、５…温度間隔調整部、６…処理回数カウント部、１−１…初期のデータテーブル記憶領域、１−２…データテーブル記憶領域、１−３…計算式記憶領域、ＴＢ２…初期のデータテーブル、ＴＢ２’…更新されたデータテーブル、１００…データテーブル作成装置、２００…露点温度計。
【図１】
2019027856.tif 000003
【図２】
2019027856.tif 000004
【図３】
2019027856.tif 000005
【図４】
2019027856.tif 000006
【図５】
2019027856.tif 000007
【図６】
2019027856.tif 000008
【図７】
2019027856.tif 000009
【図８】
2019027856.tif 000010
【図９】
2019027856.tif 000011
【図１０】
2019027856.tif 000012
【図１１】
2019027856.tif 000013